(57)【要約】  【課題】  この発明は、積層したカードを一枚ずつ繰出す繰出し手段を備えたカード処理装置において、カードの端部（エッジ）に、カード傷みが生じた場合でも、確実に繰出しを行うことができるカード処理装置を提供することを目的とする。  【解決手段】  カード傷みＸが生じると、第一の爪６５ｂ，６６ｂが十分にカード１００のエッジ１０１に係合しなくなり、カード繰出しが空振りとなる。  そこで、カード幅方向中心側の後方に位置する第二の爪６３ｂ，６４ｂが、カード１００のエッジ１０１を係合することで空振りを防いでいる。    【選択図】  図５
2006309303.tif 000002
【特許請求の範囲】
【請求項１】
カード集積部内に積層したカードを一枚ずつ繰出すカード繰出し手段を備えたカード処理装置であって、
前記カード繰出し手段が、カードの端部に係合する爪部と、
該爪部をカード繰出し方向に移動させる移動手段とを備え、
前記爪部を、カード繰出し方向と直交するカード幅方向に複数個並設し、該複数個の爪部の位置を繰出し方向にずらした
カード処理装置。
【請求項２】
前記複数個の爪部を、それぞれ独立した付勢手段によってカードに接する方向に付勢した
請求項１記載のカード処理装置。
【請求項３】
前記複数個の爪部の間に、隙間を形成した
請求項２記載のカード処理装置。
【請求項４】
前記複数個の爪部を、カード幅方向中心を中心として左右対称に配置した
請求項１〜３記載のカード処理装置。
【請求項５】
前記複数個の爪部のうちカード幅方向中心の爪部を、カードから最も離間した位置に配置し、
カード幅方向両端の爪部を、カードに最も近接した位置に配置した
請求項４記載のカード処理装置。
【発明の詳細な説明】
【技術分野】
【０００１】
この発明は、カード処理装置に関し、特に、積層したカードを一枚ずつ繰出す繰出し手段を備えたカード処理装置に関する。
【背景技術】
【０００２】
従来より、カード集積部等に積層したカードを一枚ずつ繰出す繰出し手段を備えたカード処理装置が知られている。
【０００３】
この繰出し手段には、ローラの回転でカードを繰出すタイプと、往復移動する爪でカードを繰出すタイプがあるが、ローラでカードを繰出すタイプは、汚れや経年劣化によりローラ表面の摩擦係数が変化して、安定したカードの繰出しが行えなくなるといった問題がある。
【０００４】
一方、爪でカードを繰出すタイプでは、摩擦係数の変化等の問題はないものの、カードの湾曲変形等で、カードが爪に係合せずに、安定してカード繰出しできないおそれがあった。
【０００５】
この問題に対して、例えば、下記特許文献１では、カードの中心と両端にそれぞれ係合する位置に爪を設け、カードが上側に湾曲した場合でも下側に湾曲した場合でもこれらの爪のいずれかがカードに係合するようにして、安定してカードの繰出しを行うものが提案されている。
【０００６】
【特許文献１】実開平５−８７６５９号公報
【発明の開示】
【発明が解決しようとする課題】
【０００７】
ところで、近年は、ＩＣカード等の普及によりカードの再利用（リサイクル）が促進されつつある。
【０００８】
しかしながら、このようにカードのリサイクルが進むと、繰出し回数も極めて増加し、例えば一枚のカードが１０００回以上の多数回繰出される場合が生じ、カードの外表面、特に爪が係合する部分である端部（エッジ）にカード傷みが生じるおそれがある。
【０００９】
こうして、カードの端部（エッジ）にカード傷みが生じると、カードの繰出しの際、カードの端部（エッジ）に爪が十分に係合せず、空振りして、繰出しが困難になるといった問題が生じる。
【００１０】
前述の特許文献１のように爪を複数設けたとしても、結局、その係合する端部（エッジ）には、カード傷みが生じ、カードの繰出しが困難になるため、この問題を対策することはできない。
【００１１】
そこで、本発明は、積層したカードを一枚ずつ繰出す繰出し手段を備えたカード処理装置において、カードの端部（エッジ）に、カード傷みが生じた場合でも、確実に繰出しを行うことができるカード処理装置を提供することを目的とする。
【課題を解決するための手段】
【００１２】
この発明のカード処理装置は、カード集積部内に積層したカードを一枚ずつ繰出すカード繰出し手段を備えたカード処理装置であって、前記カード繰出し手段が、カードの端部に係合する爪部と、該爪部をカード繰出し方向に移動させる移動手段とを備え、前記爪部を、カード繰出し方向と直交するカード幅方向に複数個並設し、該複数個の爪部の位置を繰出し方向にずらしたものである。
【００１３】
上記構成によれば、複数個の爪部の位置を繰出し方向にずらしたことで、一回のカード繰出し過程で、カード傷みにより、カードの端部の所定箇所に爪部が係合しなくても、カード幅方向に並設され、繰出し方向にずれた他の爪部が係合することになる。
【００１４】
このため、カードの端部の所定箇所にカード傷みが生じていた場合でも、他のカード傷みが生じていない箇所に、爪部が係合してカードの繰出しを行うことができる。  
なお、上記カード幅方向とは、カードの長手方向、短手方向、何れも含む概念である。
【００１５】
また、上記複数個の爪部の位置の繰出し方向の「ずらし」方は、カード幅方向で一方側に傾斜させてもよいし、ランダムにしてもよい。また、カード中心を最もカード側に近接させて両端を離間させることでカードに対して略逆Ｖ字形状にずらすようにしてもよい。
【００１６】
さらに、カードの積層方向についても、上下方向でも、水平方向でもよく、繰出すカードについても、最下位置のみならず、最上位置や、最左端位置、最右端位置等のカードであってもよい。
【００１７】
また、繰出し方向に爪部がずれていることで、カードが新しい場合には、カード側に最も近接する爪部のみと係合してカードが繰出されるので、繰出し方向にずれて係合していない爪部の位置ではカード傷みが発生しない。このため、カードが古くなった場合でも、他の爪部が確実にカードに係合することになり、カード繰出しを確実に行うことができる。
【００１８】
この発明の一実施態様においては、前記複数個の爪部を、それぞれ独立した付勢手段でカードに接する方向に付勢したものである。
【００１９】
上記構成によれば、独立した付勢手段が、各々の爪部をカードに接する方向に付勢するため、各爪部は、独立してカードに圧着すると共に、独立して沈み込むことになる。
【００２０】
このため、カード繰出し時に、カード端部に係合しなかった爪部が、独立して沈み込むため、この爪部が、カードを積層方向に押し上げるおそれがなくなる。
【００２１】
よって、係合しなかった爪部が、繰出しのカードに対して悪影響を与えることがなくなり、安定してカードの繰出しを行うことができる。
【００２２】
なお、この付勢手段は、爪部に付勢力を与えるものであれば、コイルバネ、フック状バネ、弾性ゴム、弾性樹脂等々、特に限定されるものではない。
この発明の一実施態様においては、前記複数個の爪部の間に、隙間を形成したものである。
【００２３】
上記構成によれば、爪部の間に隙間を形成することで、各爪部が独立して沈み込む際、隣接する爪部に接触することなく、隣接する爪部同士が互いに干渉しあうおそれをなくすことができる。
【００２４】
よって、各々の爪部が独立して確実に出没することになるため、より安定してカードの繰出しを行うことができる。
【００２５】
また、隙間があることで、隣接する爪部によるカード側のカード傷みの影響（具体的には、爪部の幅よりも幅広となるカード傷みにより、引っ掛かりがあまくなり空振りとなる）が少なくなり、より確実にカード繰出しを行うことができる。
【００２６】
この発明の一実施態様においては、前記複数個の爪部を、カード幅方向中心を中心として左右対称に配置したものである。
【００２７】
上記構成によれば、爪部を対称に配置したことで、所定の爪部がカードに係合した場合も、その爪部が係合せずに他の爪部がカードに係合した場合でも、常に爪部がカード中心に対して対称に係合することになる。
【００２８】
このため、カード繰出しの際には、カードが傾斜することなく、安定してカードを繰出すことができる。
【００２９】
よって、カード繰出し時に、カードのつまり（ジャム）が生じるおそれがなくなり、さらに安定して、カードの繰出しを行うことができる。
【００３０】
この発明の一実施態様においては、前記複数個の爪部のうちカード幅方向中心の爪部を、カードから最も離間した位置に配置し、カード幅方向両端の爪部を、カードに最も近接した位置に配置したものである。
【００３１】
上記構成によれば、カード繰出しの際、通常時には、カードの両側端位置で爪部が係合し、カード傷みがある例外的な場合のみにカード中心で爪部が係合することになる。
【００３２】
このため、カードの両端部にカード傷みがない通常の場合には、カードの両端部を両持ち状態で安定的に繰出すことができ、カード傷みがある例外的な場合のみカード中心で繰出すことになる。
【００３３】
よって、カード両端位置での安定的な繰出しを、多くすることができ、カード繰出しの際の安定性をさらに高めることができる。
【発明の効果】
【００３４】
この発明によれば、カードの端部の所定箇所にカード傷みが生じていた場合でも、他のカード傷みが生じていない箇所に、爪部が係合してカードの繰出しを行うことができる。
【００３５】
したがって、積層したカードを一枚ずつ繰出す繰出し手段を備えたカード処理装置において、カードの端部にカード傷が生じた場合でも、確実に繰出しを行うことができる。
【発明を実施するための最良の形態】
【００３６】
以下、図面に基づいて本発明の実施形態を詳述する。  
図１は、本発明の実施形態に係るカード処理装置たるカード発行機１の全体側面図、図２はカード繰出し時におけるカード発行機１の全体側面図、図３はカード繰出し機構部の平面図、図４はカード発行機１のシステムブロック図である。
【００３７】
このカード発行機１は、図１に示すように、略立方形状のフレーム２内に、複数のカードを積層状態で収納するカードカセット３と、カードカセット３の下方でカードを一枚ずつ繰出すカード繰出し機構部４と、カードカセット３の繰出し方向前方側（図面左側）でカードに対して情報の読み書きを行うカード処理機構部５とを備えている。
【００３８】
前述のカードカセット３は、上側で水平方向に延びるカセット天板３１と、下側で水平方向に延びるカセット底板３２と、繰出し方向後方側（図面右側）で垂直方向に延びて回転ヒンジ３３を介してカセット天板３１と連結された扉３４と、繰出し方向前方側（図面左側）で垂直方向に延びるゲート３５を備え、このゲート３５とカセット底板３２との間で、カード一枚の厚み（約０．５ｍｍ）より若干大きな隙間（カード繰出し口３６）を設定している。
【００３９】
そして、このカードカセット３内には、多数のカード１００を長手方向を繰出し方向に向けた状態で、上下方向に整列して積層している。このカード１００は、ＩＣチップを埋設した厚さ約０．５ｍｍのプラスチック製の非接触型のＩＣカードであり、情報の読み書きを繰り返しできるリサイクル可能なカードである。
【００４０】
この積層したカード１００の上方には、所定の重量を有する矩形形状のオモリ３７を載置することで、積層したカード１００の浮き上がりを防止している。
【００４１】
前述のカード繰出し機構部４は、カード繰出し用の駆動力を発生する繰出しモータ４１と、この繰出しモータ４１の回転を繰出し方向の往復運動に変換するリンク部４２と、このリンク部の動きにより往復運動するスライダー部４３とを備える。
【００４２】
繰出しモータ４１は、スライダー部４３の下方に設置され、作動信号を受けた際に出力軸４１ａを回転させることで、リンク部４２を駆動するように構成している。
【００４３】
リンク部４２は、繰出しモータ４１の出力軸４１ａに連結されてこの出力軸４１ａ廻りに回転する第一レバー４２ａと、下端がフレーム１に軸支され上端がスライダー部４３に連係される第二レバー４２ｂとを備え、この第一レバー４２ａと第二レバー４２ｂとを、第二レバー４２ｂの長孔４４に第一レバー４２ａの外端ピン４５を係合させることで連係している。
【００４４】
スライダー部４３は、カード繰出し方向（図１〜図３で示す方向）に平行に延びる二本のスライダー案内シャフト４６，４６と、このスライダー案内シャフト４６，４６の前端と後端を、それぞれカード繰出し方向と直交するカード幅方向（図３に示す方向）に延びて固定する二本の固定金具４７，４７と、スライダー案内シャフト４６，４６に対して嵌合してカード繰出し方向にスライド自在となったスライダー４８とを備える。
【００４５】
このうち、スライダー４８には、その側面にカード幅方向に延びる連結ピン４９を設け、この連結ピン４９を前述の第二レバー４２ｂの長孔４４に係合している。
【００４６】
このように構成することで、図２に示すように、カード繰出し機構部４は、繰出しモータ４１が回転することで、第一レバー４２ａが回転し、その第一レバー４２ａの回転で第二レバー４２ｂが繰出し方向に揺動し、その揺動する第二レバー４２ｂの動きにより、スライダー４８がカード繰出し方向を前後に往復運動するようになっている。
【００４７】
スライダー４８の上面、すなわち、カード１００側には、図３に示すように、カード１００のエッジ１０１に係合する係合アーム６１，６２，６３，６４，６５，６６をカード幅方向に複数設けている。
【００４８】
この係合アーム６１〜６６は、スライダー４８の上面に固定されたカード幅方向に延びる支持シャフト６７に、その前端が軸支されており、その支持シャフト６７を中心として、上下方向に揺動自在（出没自在）となるように構成している。
【００４９】
また、この係合アーム６１〜６６とスライダー４８との間には、それぞれコイルバネ６９…を独立に介装して、係合アーム６１〜６６を、上方、すなわちカード１００に接する方向に付勢している。
【００５０】
各係合アーム６１〜６６の後端には、０．５ｍｍ程上方に突出する突出段部６１ａ〜６６ａを形成し、その前端面（繰出し方向前方側面）をカードのエッジ（繰出し方向後方端部）に係合する爪６１ｂ〜６６ｂとして構成している。
【００５１】
この爪６１ｂ〜６６ｂの位置は、図３に示すように、カード幅方向中心の爪６１ｂ，６２ｂを最もカード１００から離間した後方位置に設定して、カード両端の爪６５ｂ，６６ｂを最もカード１００に近接した前方位置に設定することで、これらの爪６１ｂ〜６６ｂが、カード幅方向中心を中心として左右対称となるように設定している。すなわち、各爪６１ｂ〜６６ｂが、カード１００に対して略Ｖ字形状にずれて位置するように設定しているのである（それぞれのズレ量は、例えば２ｍｍ程度）。
【００５２】
また、各爪６１ｂ〜６６ｂは、所定の幅Ｗ（例えば５ｍｍ程度）を有し、カード１００のエッジ１０１に係合した際に、エッジ１０１にできるだけ傷をつけにくい幅としている。この幅が小さすぎると、カード１００のエッジ１０１に傷が付きやすくなる。
【００５３】
さらに、各係合アーム６１〜６６の間には、所定の隙間Ｓ（例えば２ｍｍ程度）を設けている。これにより、隣り合う係合アーム６１〜６６同士が、相互の出没動作に対して、互いに影響を与えないようにしている。
【００５４】
また、図３に示すように、カセット底板３２の繰出し方向後方側には、大きな切欠き３２ａを設けている。この切欠き３２ａにより、係合アーム６１〜６６が繰出し方向側に移動する際のカセット底板３２との干渉を防いでいる。なお、係合アーム６１〜６６の上面（段部を除く）とカセット底板３２との上面とは、面一致するように設定し、これらの面で最下位置のカード１００を支持するように構成している。
【００５５】
前述のカード処理機構部５は、繰出されたカード１００をカード放出口５１まで搬送する駆動力を発生する搬送モータ５２と、この搬送モータ５２によって駆動されて繰出されたカード１００を搬送する搬送部５３と、搬送部５３の中央に設置され繰出されたカードに情報を書き込み又は読み込みを行うヘッド部５４とを備える。
【００５６】
搬送モータ５２は、搬送部５３の上方に設置され、作動信号を受けた際に、出力軸５２ａを回転させることで搬送部５３を駆動するように構成している。
【００５７】
搬送部５３は、搬送モータ５２の出力軸に巻き掛けられた第一ベルト５５と、第一ベルト５５の回転を受けて従動する第二ベルト５６を備え、各ベルト５５，５６は、それぞれに設けたプーリ５７，５７，５８，５８でその回転位置を規定している。そして、これらのベルト５５，５６の間でカード１００を挟持して、カード放出口５１まで搬送するように構成している。
【００５８】
ヘッド部５４は、第二ベルト５６側、すなわち、カード１００の搬送路５９の下側に設置され、搬送されるカード１００に対して非接触で情報の読み書きを行う、いわゆる非接触式ＩＣカードＲ／Ｗヘッドで構成している。
【００５９】
なお、この他、第二レバー４２ｂの位置を検出してカード繰出し機構部４の作動状態を検出するレバー検知センサ７１と、カード１００の繰出し状態を検出する繰出し検知センサ７２，７２と、カード１００の放出状態を検出する放出検知センサ７３，７３とを、それぞれ対応する位置に設置している。
【００６０】
この実施形態のカード発行機１は、図４に示すシステムブロックで制御を行う。  
中央に設置した演算処理装置たるＣＰＵ８０には、所定のプログラムを格納したメモリ８１を結合し、入力手段として、繰出し検知センサ７２、放出検知センサ７３、レバー検知センサ７１を結合し、さらに出力手段として、搬送用モータ５２、繰出しモータ４１、ヘッド部５４を、それぞれ結合している。
【００６１】
そして、このシステムブロックが図示しない所定の制御フローで制御されることで、カード繰出しとカード処理（情報の読み書き処理）とを行うことになる。
【００６２】
本実施形態では、前述のように係合アーム６１〜６６の各爪６１ｂ〜６６ｂの位置を、カード１００に対して略Ｖ字形状に位置するように設定しているため、リサイクルされ、繰出しが１０００回以上行われるようなカードであっても、確実に安定して繰出すことができる。
【００６３】
このカード繰出しの作用について、図５〜図７の詳細図で説明する。  
図５、図６はカードのエッジに対して係合アームの爪が係合する際の平面図と側面図、図７はカードのエッジの所定箇所にカード傷みが生じ、爪が係合しなかった場合の側面図である。なお、前述した構成要素については、同一の符号を付して説明を省略する。
【００６４】
カードが繰出される場合には、係合アーム６１〜６６の爪６１ｂ〜６６ｂの内、通常、両側端に位置する第一の爪６５ｂ，６６ｂが、カード１００のエッジ１０１の両側部に係合する。この係合によって、カード１００は、両持ち状態で繰出されることになり、傾斜することなく安定して繰出されることになる。
【００６５】
もっとも、この両側部に第一の爪６５ｂ，６６ｂが常に係合することで、カード１００のリサイクルによって何度も同じ箇所に爪６５ｂ，６６ｂが係合することになり、カード１００の両側部に、図５及び図６に示すようにカード傷みＸが生じる。
【００６６】
このように、カード傷みＸが生じると、第一の爪６５ｂ，６６ｂが十分にカード１００のエッジ１０１に係合しなくなり、カード繰出しが空振りとなる。
【００６７】
そこで、この場合には、カード幅方向中心側の後方に位置する第二の爪６３ｂ，６４ｂが、カード１００のエッジ１０１を係合することで空振りを防いでいる。すなわち、図７に示すように、第一の爪６５ｂ，６６ｂが空振りとなるものの、第二の爪６３ｂ，６４ｂがエッジ１０１の他の箇所に係合するのである。
【００６８】
よって、第一の爪６５ｂ，６６ｂが空振りとなった場合でも、第二の爪６３ｂ，６４ｂがカード１００のエッジ１０１に係合するため、スライダー４８の一回の繰出し過程で、必ずカード１００のエッジ１０１が係合して、安定したカードの繰出しを行うことができる。
【００６９】
なお、第二の爪６３ｂ，６４ｂのカード幅方向中心側の後方には、第三の爪６１ｂ，６２ｂを設定している。このため、第二の爪６３ｂ，６４ｂがカード傷み等でカード１００のエッジ１０１に係合しない場合でも、さらに第三の爪６１ｂ，６２ｂが確実にカード１００のエッジ１０１に係合して、より確実にカードの繰出しを行うことができる。
【００７０】
このように、本実施形態では、複数の爪６１ｂ〜６６ｂの位置を、繰出し方向でずらしていることで、第一の爪６５ｂ，６６ｂが係合しなくても、中心側の部分で第二の爪６３ｂ，６４ｂ、又は第三の爪６１ｂ，６２ｂが係合することになる。
【００７１】
このため、カードのエッジの両側部にカード傷みＸが生じていた場合でも、カード中心側で、第二の爪６３ｂ，６４ｂや第三の爪６１ｂ，６２ｂが係合して、カードの繰出しを行うことができる。
【００７２】
したがって、カード発行機１において、カードのエッジにカード傷みＸが生じた場合でも、確実に繰出しを行うことができる。
【００７３】
また、この実施形態では、前述のように爪６１ｂ〜６６ｂを設けた係合アーム６１〜６６を、それぞれ独立したコイルバネ６９…で、カード１００側、すなわち上方側に付勢している。
【００７４】
これにより、各係合アーム６１〜６６は、独立してカード１００に圧着し、爪６１ｂ〜６６ｂがカード１００のエッジ１０１に係合しなかった場合には、それぞれ独立してカード１００の下側に沈み込むことになる。
【００７５】
このため、カード繰出し時には、係合しなかった係合アーム６１〜６６が独立して沈み込むため、この係合アーム６１〜６６の爪６１ｂ〜６６ｂ（突出段部６１ａ〜６６ａ）がカード１００を上方に押し上げるおそれがなくなる。
【００７６】
よって、係合しなかった爪６１ｂ〜６６ｂが、繰出すカード１００に対して悪影響を与えることはなく、安定してカード繰出しを行うことができる。
【００７７】
なお、コイルバネ６９…以外にも、係合アーム６１〜６６と支持シャフト６７との間に、スプリング部材等を設けることで、係合アーム６１〜６６を上方側に付勢するように構成してもよい。
【００７８】
また、この実施形態では、各係合アーム６１〜６６の間に、所定の隙間Ｓを形成しているため、各係合アーム６１〜６６が独立して沈み込む際、隣接する係合アーム６１〜６６に接触することなく、隣接する係合アーム６１〜６６が互いに干渉し合うおそれがない。
【００７９】
よって、各々の係合アーム６１〜６６が独立して確実に出没することになるため、より安定してカード繰出しを行うことができる。
【００８０】
また、この実施形態では、複数の爪６１ｂ〜６６ｂを、カード幅方向中心を中心として左右対称に配置しているため、第一の爪６５ｂ，６６ｂがカードに係合した場合も、第二の爪６３ｂ，６４ｂ、又は第三の爪６１ｂ，６２ｂが係合した場合でも、常に爪６１ｂ〜６６ｂがカード１００の中心に対して対称に係合することになる。
【００８１】
このため、カード繰出しの際に、カード１００が傾斜することなく、安定してカード１００を繰出すことができる。
【００８２】
よって、カード１００のつまり（ジャム）が生じるおそれがなくなり、さらに安定して、カード繰出しを行うことができる。
【００８３】
また、この実施形態では、各爪６１ｂ〜６６ｂの位置を、カードに対して略Ｖ字形状に位置するように設定しているため、カード繰出しの際、通常時には、カード１００の両側部で第一の爪６５ｂ，６６ｂが係合し、カード傷みＸがある例外的な場合のみにカード中心側で第二の爪６３ｂ，６４ｂや第三の爪６１ｂ，６２ｂが係合することになる。
【００８４】
このため、カード１００の両側部にカード傷みＸがない通常の場合（比較的新しいカードの場合）には、カード１００の両側部を両持ち状態で安定的に繰出すことができ、カード傷みＸがある例外的な場合（リサイクルされて劣化したカードの場合）には、カード１００の中心で繰出すことになる。
【００８５】
よって、カード１００の両側部での安定的な繰出しを、より多く行うことができ、カード繰出しの際の安定性をさらに高めることができる。
【００８６】
なお、本実施形態では、係合アーム６１〜６６を６つで構成しているが、カード１００に対して各爪が略Ｖ字形状に位置するものであれば、３〜５つで構成しても、７つ以上で構成しても、同様の効果を得ることができる。
【００８７】
また、各爪の位置も、繰出し方向で「ずれて」いれば、一回の繰出し過程で、何れかの爪がカードのエッジに係合することになるため、カード幅方向で一方向に傾斜してもよいし、カード幅方向にランダムにずらしてもよい。また、カード１００に対して略逆Ｖ字形状にずらしてもよい。
【００８８】
さらに、カード１００の積層方向についても、上下方向のみならず水平方向でもよく、繰出し対象のカード１００についても、最下位置のみならず、最上位置、最左端位置、最右端位置、何れのカードであってもよい。
【００８９】
加えて、カード１００の繰出し方向も、この実施形態のように長手方向のみならず、短手方向であってもよい。
【００９０】
以上、この発明の構成と、前述の実施形態との対応において、
この発明のカード集積部は、実施形態のカードカセット３に対応し、
以下、同様に、
カード繰出し手段は、カード繰出し機構部４に対応し、
カードの端部は、カードのエッジ１０１に対応し、
爪部は、係合アーム６１〜６６及び爪６１ｂ〜６６ｂに対応し、
移動手段は、繰出しモータ４１、リンク部４２、スライダー部４３に対応し、
付勢手段は、コイルバネ６９…に対応するも、
この発明は、前述の実施形態に限定されるものではなく、あらゆるカード処理装置に適用する実施形態を含むものである。
【図面の簡単な説明】
【００９１】
【図１】本発明の実施形態に係るカード発行機の全体側面図。
【図２】カード繰出し時におけるカード発行機の全体側面図。
【図３】カードカセット側から見たカード繰出し機構部の平面図。
【図４】カード発行機のシステムブロック図。
【図５】カードのエッジに対して係合アームの爪が係合する際の平面図。
【図６】カードのエッジに対して係合アームの爪が係合する際の側面図。
【図７】エッジにカード傷みが生じて爪が係合しなかった場合の側面図。
【符号の説明】
【００９２】
１…カード発行機
３…カードカセット（カード集積部）
４…カード繰出し機構部（カード繰出し手段）
４１…繰出しモータ（移動手段）
４２…リンク部（移動手段）
４３…スライダー部（移動手段）
６９…コイルバネ（付勢手段）
６１，６２，６３，６４，６５，６６…係合アーム（爪部）
６１ｂ，６２ｂ，６３ｂ，６４ｂ，６５ｂ，６６ｂ…爪（爪部）
Ｓ…隙間
【図１】
2006309303.tif 000003
【図２】
2006309303.tif 000004
【図３】
2006309303.tif 000005
【図４】
2006309303.tif 000006
【図５】
2006309303.tif 000007
【図６】
2006309303.tif 000008
【図７】
2006309303.tif 000009